(57)【要約】【課題】背もたれの下端を座アウターシェルに連結することを、ビス無しの簡単な工程で実現する。【解決手段】背もたれ（背板）２は合成樹脂を素材にした一体成型品であり、座１の後部下方に位置する前向き部１５を備えている。座アウターシェル８の後端は後ろ壁３７で構成されており、かつ、後端部に補強板１６が固定されていて、補強板１６と後ろ壁３７との間に逃がし空所３６が形成されている。背もたれにおける前向き部１５の前端に、逃がし空所３６に入り込む第１及び第２ボス部３５，３８が形成されている。第１ボス部３５は、係合片１７によって上向き動不能に保持されている。背もたれを使用姿勢から手前に倒した姿勢でボス部３５，３８を逃がし空所３６に挿入してから、背もたれを使用姿勢に起こすと、ボス部３５，３８は上向き離脱不能及び後ろ向き離脱不能に保持される。【選択図】図９
2020039465.tif 000002
【特許請求の範囲】
【請求項１】
座と背もたれを備えており、前記背もたれの下端が、前記座又は座受け部材若しくは他の下部部材に連結されている構成であって、
前記背もたれの下端と前記下部部材とに、前記背もたれを使用姿勢よりも前傾させた非使用姿勢から使用姿勢に起こすと上向き離反不能となる係合手段を設けており、前記係合手段は、前記下部部材に設けた固定係合部と、前記背もたれの下端に設けた可動係合部とから成っている、
椅子。
【請求項２】
前記可動係合部は、前記固定係合部の後方の空間に下向きに挿入してから後傾させると、前記固定係合部に係合するようになっており、
前記可動係合部は、前記背もたれを非使用姿勢にした状態で下端が側面視で丸みを帯びた形態である一方、
前記固定係合部の下方に、前記背もたれを非使用姿勢から使用姿勢に後傾させるに際して前記可動係合部の下端が当たって後傾動の支点を構成させるガイド部が、側面視で上向きに凹んだ状態に形成されている、
請求項１に記載した椅子。
【請求項３】
前記座は、合成樹脂製の座インナーシェルの上面に座クッションを張ってこれを表皮材で覆った構造であって、前記座の下方に、前記下部部材の例として、前記座が上から取り付く座アウターシェルを配置しており、前記座アウターシェルの後端部に、前記固定係合部を設けている、
請求項１又は２に記載した椅子。
【請求項４】
前記座インナーシェルの後端部は、前記座アウターシェルの後端よりも後ろにはみ出たオーバーハング部になっている一方、
前記背もたれの下端に、前記座におけるオーバーハング部の下面に密接又は近接した前向き部が形成されており、前記前向き部の前端に、前記座アウターシェルと座との間に位置するように前記可動係合部を形成している、
請求項３に記載した椅子。
【請求項５】
前記座アウターシェルの後端は上向きの後ろ壁で構成されていて、前記座アウターシェルの後端部のうち前記後ろ壁よりも手前の部位に左右長手の金属製補強板が固定されている一方、
前記背もたれの前向き部に、前記可動係合部として、前記後ろ壁と補強板との間の空間に入り込むボス部が形成されており、前記ボス部は、前記後ろ壁によって後退不能に保持されて、前記補強板によって上向き移動不能に保持されている、
請求項３又は４に記載した椅子。
椅子。
【発明の詳細な説明】
【技術分野】
【０００１】
本願発明は、背もたれの取付け構造に特徴を有する椅子に関するものである。
【背景技術】
【０００２】
椅子は様々の形態があり、背もたれの形態や取付け構造も千差万別であるが、宿命として、フィット性やクッション性の向上が要請されている。そこで、特許文献１には、背もたれを、多数のエレメントがヒンジ部によって連結された構成として、この背もたれを、その下端部は座アウターシェル等の座受け部材に回動可能に連結して、上下中途部は背支柱に回動可能に連結することにより、着座者の体圧によって背もたれの形態を変化させるようにした椅子が開示されている。
【先行技術文献】
【特許文献】
【０００３】
【特許文献２】特開２０１７−８６３７４号公報
【発明の概要】
【発明が解決しようとする課題】
【０００４】
特許文献１の背もたれは、着座者の動きに対する形状変化の追従性に優れており、例えば、着座者が上半身を捩じると、上部のエレメントが集中的に変形して高いフィット性を確保できるなどの利点があり、従来にない画期的な椅子として評価できる。従って、その機能を活かして様々に展開できるといえるが、構造的にみると、改善の余地は残っているといえる。
【０００５】
例えば、特許文献１では背もたれの下端部がピンで座受け部材に連結されているが、ピンによる連結は、背もたれと座受け部材とを離脱不能に連結できる利点はあるものの、組み立て作業に手間がかかるという問題がある。従って、展開するに当たっての一つの態様として、背もたれを座受け部材等に離脱不能に連結できる機能は保持しつつ、連結作業を能率よく行える構造が要請されているといえる。
【０００６】
本願発明はこのような現状を契機して成されたものであり、背もたれの下端部を他の部材に連結すること等について、改良された技術を提供しようするものである。
【課題を解決するための手段】
【０００７】
本願発明は様々な構成を含んでおり、その典型を各請求項で特定している。このうち請求項１の発明は、
「座と背もたれを備えており、前記背もたれの下端が、前記座又は座受け部材若しくは他の下部部材に連結されている構成であって、
前記背もたれの下端と前記下部部材とに、前記背もたれを使用姿勢よりも前傾させた非使用姿勢から使用姿勢に起こすと上向き離反不能となる係合手段を設けており、前記係合手段は、前記下部部材に設けた固定係合部と、前記背もたれの下端に設けた可動係合部とから成っている」
という構成になっている。
【０００８】
請求項２の発明は、請求項１において、
「前記可動係合部は、前記固定係合部の後方の空間に下向きに挿入してから後傾させると、前記固定係合部に係合するようになっており、
前記可動係合部は、前記背もたれを非使用姿勢にした状態で下端が側面視で丸みを帯びた形態である一方、
前記固定係合部の下方に、前記背もたれを非使用姿勢から使用姿勢に後傾させるに際して前記可動係合部の下端が当たって後傾動の支点を構成させるガイド部が、側面視で上向きに凹んだ状態に形成されている」、
という構成になっている。
【０００９】
請求項３の発明は、請求項１又は２の具体例であり、
「前記座は、合成樹脂製の座インナーシェルの上面に座クッションを張ってこれを表皮材で覆った構造であって、前記座の下方に、前記下部部材の例として、前記座が上から取り付く座アウターシェルを配置しており、前記座アウターシェルの後端部に、前記固定係合部を設けている」
という構成になっている。
【００１０】
請求項３の展開例として、請求項４の発明では、
「前記座インナーシェルの後端部は、前記座アウターシェルの後端よりも後ろにはみ出たオーバーハング部になっている一方、
前記背もたれの下端に、前記座におけるオーバーハング部の下面に密接又は近接した前向き部が形成されており、前記前向き部の前端に、前記座アウターシェルと座との間に位置するように前記可動係合部を形成している」
という構成になっている。
【００１１】
更に、請求項４の発明の具体例として、請求項５の発明は、
「前記座アウターシェルの後端は上向きの後ろ壁で構成されていて、前記座アウターシェルの後端部のうち前記後ろ壁よりも手前の部位に左右長手の金属製補強板が固定されている一方、
前記背もたれの前向き部に、前記可動係合部として、前記後ろ壁と補強板との間の空間に入り込むボス部が形成されており、前記ボス部は、前記後ろ壁によって後退不能に保持されて、前記補強板によって上向き移動不能に保持されている」
という構成になっている。
【発明の効果】
【００１２】
本願発明では、背もたれの下端部の連結は、背もたれを使用姿勢よりも前傾させた不使用姿勢にしてから使用姿勢に起こすというワンタッチ的な作業によって行われるため、椅子の組み立て作業の手間を軽減できる。しかも、背もたれは、使用姿勢に戻さないと下部部材から離脱させることができないが、使用状態において背もたれは背支柱に連結されていて前傾することは有り得ないため、使用状態において背もたれに上向きの外力が掛かったとしても、背もたれが外れるようなことはない。
【００１３】
従って、本願発明では、連結状態の保持機能は確実に保持しつつ、組み立ての手間を抑制できる。特に、請求項２の構成を採用すると、背もたれの後傾動の支点（回動支点）がガイド部によって規定されているため、背もたれの後傾動を正確かつスムースに行える。従って、背もたれの取付けを迅速かつ正確に行える。
【００１４】
背もたれの下端は座に連結することも可能であるが、座をセットした状態で背もたれを前傾姿勢にして連結できる構造を実現するには、背もたれの固定係合部と座の可動係合部係合手段とについて設計が面倒になるおそれがある。また、座及び背もたれの係合部が座素の後方に露出して美観悪化を招来するおそれもある。
【００１５】
これに対して、請求項３のように座アウターシェルに固定係合部を設けると、座アウターシェルには、背もたれの可動係合部を上から挿脱できる固定係合部を容易に形成できるため、現実性に優れている。また、係合部が座の下方に隠れるように形成することも容易であるため、美観の悪化防止にも貢献できる。
【００１６】
請求項４の構成を採用すると、係合部は座の下方に確実に隠れるため、係合部が人目に触れることによる美観悪化の問題を確実に防止できる。また、背もたれの前向き部に座のオーバーハング部が上から重なっているため、使用状態において背もたれが前傾動することを確実に防止できる。
【００１７】
また、請求項４の構成では、背もたれを前傾させるには前向き部を上に起こさねばならないが、オーバーハング部の上には背もたれの前向き部があって、背もたれの前向き部は起き上がり不能に保持されているため、連結状態の保持も更に確実化できる。
【００１８】
請求項５の構成では、固定係合部を後付け式の補強板に形成できるため、固定係合部を設けることに起因して座アウターシェルの設計が厄介になるという問題は生じない。従って、座アウターシェルの設計・製造の容易性を確保しつつ、固定係合部を形成できる。
【００１９】
しかも、座アウターシェルは軽量化や製造の容易性から合成樹脂製とするのが好適であるが、補強板は金属板製であるため、座アウターシェルが合成樹脂製であっても、座アウターシェルの固定係合部を薄くても頑丈な構造に形成できる。従って、設計の自由性も向上できる。また、背もたれの前向き部は座アウターシェルによって前後離脱不能に保持されているため、背もたれの下端の前後方向の位置決めを正確に行える。
【図面の簡単な説明】
【００２０】
【図１】椅子の外観を示す図で、（Ａ）は前方斜視図、（Ｂ）は正面図、（Ｃ）は側面図である。
【図２】椅子の外観を示す図で、（Ａ）は背面図、（Ｂ）は後方斜視図、（Ｃ）は平面図である。
【図３】座を省略した状態での前方斜視図である。
【図４】（Ａ）は座クッションと背もたれとを分離した状態の斜視図、（Ｂ）は座インナーシェルを分離した状態の斜視図である。
【図５】（Ａ）は分離斜視図、（Ｂ）は下方から見た斜視図である。
【図６】座を省略した状態で正面図である。
【図７】（Ａ）は背もたれの側面図、（Ｂ）の背もたれの平面図である。
【図８】（Ａ）は背板の下端の取付け構造を示す斜視図、（Ｂ）は背板の取付け手順の一部を示す分離斜視図である。
【図９】（Ａ）は図３のIX-IX 視断面図、（Ｂ）は背もたれの下部の連結構造を示す分離斜視図である。
【図１０】（Ａ）（Ｂ）とも、背支柱に対する背板の連結構造を示す斜視図である。
【図１１】（Ａ）は背支柱に対する背板の連結構造を示す斜視図、（Ｂ）は背支柱の部分斜視図、（Ｃ）はブラケットの斜視図である。
【図１２】背板と背支柱との連結部を中心にした縦断側面図であり、取付け手順を示すため背板を併記している。
【発明を実施するための形態】
【００２１】
(1).概要
次に、本願発明の実施形態を説明する。本願発明は、オフィス等で使用されている回転椅子に適用している。まず、図１〜５を参照して、椅子の概要を説明する。椅子は、座１と背もたれ２と脚装置３とを備えている。脚装置３は、５本の枝杆と脚支柱４（ガスシリンダ）を備えており、各枝杆の先端にキャスタを設けている。
【００２２】
背もたれ２は、合成樹脂製の背板のみで構成されている。従って、本実施形態では背もたれ２と背板とは同じあり、以下では、背板の意味として背もたれ２の文言を使用する。なお、背もたれ２は、背板の前面に背クッションを張った構造と成したり、背板（背インナーシェル）を化粧用のクロスで覆った構造と成したりすることも可能であり、この場合は、背もたれ２と背板とは異なる概念になる。
【００２３】
図５に示すように、脚支柱４の上端に平面視四角形のベース５を嵌着している。他方、例えば図４のとおり、座１は、合成樹脂製の座インナーシェル６に座クッション７を張って表皮材で覆った構造であり、座インナーシェル６は、合成樹脂製の座アウターシェル（座受け部材）８に連結している。そして、図５（Ｂ）から理解できるように、座アウターシェル８に、下向きに開口した底面視角形のボス部８ａが形成されており、ボス部８ａとベース５とを互いに嵌め合わせてビスで固定している。
【００２４】
脚支柱４の上端にはロックを解除するためのプッシュバルブ（図示せず）が突出しており、プッシュバルブは、例えば図３に示す前倒れ回動式の押圧部材９によって押し下げられる。押圧部材９は、座アウターシェル８に回動自在に連結されている。座アウターシェル８のうち押圧部材９よりも手前の部位には中継リンク１１が水平回動自在に取付けられており、中継リンク１１と押圧部材９とは、両端にボール（図示せず）を設けたワイヤー１２によって連結されている。
【００２５】
図３に簡単に示すように、中継リンク１１には、操作具の一例としての操作ベルト１３の一端が係止されている。操作ベルト１３の他端１３ａは、座アウターシェル８に形成したスリット穴１４（図５（Ａ）（Ｂ）参照）から下方に延出しており、操作ベルト１３の他端１３ａを引っ張ると、中継リンク１１が水平回動して押圧部材９を下向きに回動させ、その結果、脚支柱のプッシュバルブが押し下げられて、ガスシリンダのロックが解除される。
【００２６】
背もたれ２の下端には前向き部１５が一体に形成されている一方、座アウターシェル８の後部上面に、スチール板等の金属板からなる左右長手の補強板（補強金具）１６が固定されている。そして、請求項に記載した固定係合部の一例として、左右の軸受け部（係合片）１７を形成しており、この軸受け部１７により、背もたれ２の前向き部１５が上向き動不能に保持されている（詳細は後述する。）。背もたれ２は、座アウターシェル８及び補強板１６に対して、僅かながら後傾可能になっている。
【００２７】
また、座アウターシェル８の後端には、背もたれ２の後ろに位置した上下長手の背支柱１８が一体に形成されており、背支柱１８の上端部に、背もたれ２のうち左右中間部でかつ上下中途高さ部位が連結されている。背もたれ２は、背支柱１８に対しても僅かに後傾可能に連結されている。なお、背支柱１８は、正確には、座アウターシェル８に繋がった前向きのロア部１８ａを有しており、ロア部１８ａの後端から背支柱１８が上向きに立ち上がっている。
【００２８】
図１（Ａ）に示すように、椅子には、オプション品として肘掛け１９を設けることができる。本実施形態の肘掛け１９は、全体が合成樹脂製の一体成型品で構成された固定タイプであり、座アウターシェル８の後ろ側部の下面にビスで固定されている。なお、図１（Ａ）では、肘掛け１９は座１の片側にしか表示していないが、肘掛け１９は座１の左右両側に配置される。
【００２９】
(2).背もたれの構造
例えば図６に明示するように、正面視において、背もたれ２のうち左右側縁は、着座者の腰部のあたりの高さ部分が左右外側に膨れている。従って、背もたれ２のうち前向き部１５を除いた部分（着座者の体圧を受ける必須の部分）は、正面視で略六角形になっており、各頂点部は丸みを持っている。
【００３０】
更に、背もたれ２は、例えば図７（Ａ）に示すように、側面視では、着座者の腰部を支える部分（ランバーサポート部）が最も前に位置するように前向きに凸状に曲がって、平面視では、図７（Ｂ）に明示するように、左右側部が斜め前向き姿勢となって前向きに凹んでいる。
【００３１】
従って、背もたれ２は、概ね着座者の腰部の高さに位置した左右長手の稜線（ランバーサポート部）を挟んで上下のエリアに分かれて、上下のエリアは、それぞれ左右の傾斜エリアと、傾斜エリアの間に位置したセンターエリアに分かれている。従って、背もたれ２は、上センターエリア２１と左右の上サイドエリア２２、下センターエリア２３と左右の下サイドエリア２４との６つのエリアに分かれている。
【００３２】
かつ、上下センターエリア２１，２３はセンター横長ヒンジ部２５を介して一体に繋がり、上下サイドエリア２２，２４はサイド横長ヒンジ部２６を介して一体に繋がり、上センターエリア２１と上サイドエリア２２とは、上縦長ヒンジ部２７を介して一体に繋がり、下センターエリア２３と下サイドエリア２４は、下縦長ヒンジ部２８を介して一体に繋がっている。左右の上縦長ヒンジ部２７は上に向けて間隔が広がるように傾斜しており、左右の下縦長ヒンジ部２８は、下に向けて間隔が広がるように傾斜している。従って、上センターエリア２１は上広がりの台形になって、下センターエリア２３は下広がりの台形状になっている。
【００３３】
図７（Ｂ）に明示するように、各ヒンジ部２５，２６，２７，２８は薄肉化によって形成しており、概ね５０〜６０ｍｍ程度の幅を有している。従って、各ヒンジ部２５，２６，２７，２８は、それ自体が湾曲した形態になっている。また、サイド横長ヒンジ部２６は、左右外側に向けて幅寸法が若干広がっている。他のヒンジ部２５，２７，２８はほぼ等幅になっている。
【００３４】
図７（Ａ）に明示するように、背もたれ２のうち上センターエリア２１の下端部が背支柱１８に連結されている。また、背もたれ２には、円形の多数の小穴２９が斜め格子方向に整列して多数形成されている。各小穴２９は、基本的に前後に開口した貫通穴であるが、背支柱１８との取付け部では、貫通せずに前にだけ開口した形態になっているものがある（図１２参照）。
【００３５】
小穴２９の群は、各ヒンジ部２５，２６，２７，２８にも多数形成されている。ヒンジ部２５，２６，２７，２８は、多数の小穴２９が存在することにより、容易に変形する。小穴２９の内径は数ｍｍであり、斜め方向のピッチは内径の２倍程度になっているが、これは一例であり、内径やピッチ、配列態様は任意に設定できる。内径が異なる複数種類の小穴２９を形成してもよい。
【００３６】
(3).背もたれの意義
着座者が例えば執務を行う場合は、腰部をセンター横長ヒンジ部２５に当てることにより、上半身を直立させた姿勢を長時間に亙って採り続けることができる。従って、身体への負担が少ない姿勢をとり続けることができる。この場合、センター横長ヒンジ部２５は、縦断側面視で緩く湾曲しているため、着座者の腰部への当たりは柔らかくて快適である。
【００３７】
着座者が腰部がセンター横長ヒンジ部２５にある程度の強さで当たると、センター横長ヒンジ部２５は伸び勝手になって（縦断側面視で曲がりの程度が小さくなって）、左右のサイドエリア２２，２４が引っ張られる。その結果、背もたれ２は内向きに窄まるような傾向を呈する。換言すると、背もたれ２が着座者の身体を包むような状態に変形する。従って、着座者の身体の姿勢安定性は高くなる。
【００３８】
本実施形態の背もたれ２はロッキングしないが、背支柱１８との連結部には多少のクリアランスがあるため、僅かながら後傾できる。そして、着座者が身体を伸ばすようにして背もたれ２にもたれ掛かると、体圧の作用点が背支柱１８の上端よりも上に位置することにより、図３に矢印３１で示すように、上エリア２１，２２が少し後傾し得る。
【００３９】
この場合、上エリア２１，２２が後傾すると、背もたれ２が全体として広がる傾向を呈するため、横長ヒンジ部２５，２６は曲がりやすくなる。また、横長ヒンジ部２５，２６は帯状でもともと前後方向に曲がり変形しやすいため、上エリア２１，２２の後傾は更に容易になる。このため、着座者が身体を後傾させようとする動きに対するクッション性を高めて、快適性を向上できる。
【００４０】
また、背もたれ２の下端は補強板１６に連結されているため、着座者の体圧が横長ヒンジ部２５，２６よりも上の部位に作用すると、横長ヒンジ部２５，２５は、縦断側面視での曲がりの程度を小さくする傾向を呈する。すると、左右エリア２２、２４は外側に広がる傾向を呈する。
【００４１】
つまり、着座者の体圧がは横長ヒンジ部２５，２６よりも上の部分に作用すると、背板２は、偏平な状態に変形しようとする。このため、窮屈感を無くしてリラックス状態を得ることができる。また、背板２は弾性変形するため、着座者が身体を後傾させようとする動きに対するクッション性も保持できる。この面でも、快適性を向上できる。
【００４２】
着座者が身体を右又は左に傾けた状態で背もたれ２にもたれ掛かったり、着座者が身体を右又は左に偏らせた状態で座１に腰掛けていて、その状態で背もたれ２にもたれ掛かったりすると、センター横長ヒンジ部２５に体圧が強く作用するが、本実施形態では、縦長ヒンジ部２７，２８は広幅で変形しやすいため、図３に矢印３２で示すように、片側の上下サイドエリア２２，２４が一緒に後ろ側に回動する。従って、着座者が身体を偏らせて後傾しても、身体に追従して変形する機能に優れているし、着座者の身体への当たりも柔らかい。従って、快適さを向上できる。
【００４３】
着座者が上半身を右又は左に傾けた状態（或いは上半身を捩じった状態）で背もたれ２にもたれ掛かることも多くあるが、この場合、図３及び図７（Ｂ）に矢印３３で示すように、片側の上サイドエリア２２に強く作用する。すると、本実施形態では、図７（Ｂ）に一点鎖線で示すように、上サイドエリア２２が後ろに大きく後傾（回動）しうる。この点においても、身体の動きに追従して背もたれ２が変形する機能に優れている。
【００４４】
以上のとおり、本実施形態の背もたれ２は、合成樹脂製の単一品でありながら、着座者の身体への高い追従性を確保して弾性変形できる。従って、シンプルな構造でありながら着座者の身体へのフィット性、クッション性に優れており、高い品質を確保できる。
【００４５】
(4).背もたれと座アウターシェルとの連結構造
次に、主として図８，９を参照して、背もたれ２と座アウターシェル８との連結構造を説明する。既述のとおり、座アウターシェル８の後部上面には、左右長手の補強板１６がビス（図示せず）で固定されており、この補強板１６に係合片１７が形成されている。
【００４６】
例えば図９（Ｂ）に示すように、補強板１６の軸受け部１７は、切り起こしによって形成されており、起立部とその上端から後ろに向いた水平片とを有して側面逆Ｌ形の形態になっている。他方、図８（Ｂ）及び図９（Ａ）に示すように、背もたれ２における前向き部１５の左右両端部には、軸受け部１７に下方から係合する左右長手の第１ボス部３５が一体に形成されている。
【００４７】
図９（Ａ）に示すように、座アウターシェル８の後面は後ろ壁３７で規定されており、背もたれ２の前向き部１５は後ろ壁３７に載っている。後ろ壁３７と軸受け部１７との間に逃がし空所３６が空いており、この逃がし空所３６の箇所に、請求項に記載したガイド部の一例として左右のリブ３６ａを形成している。リブ３６ａの上面は、側面視で上向きに凹んだ湾曲面（ガイド面）３６ｂになっている。そして、左右のリブ３６ａは、平面視で第１ボス部３５と重なるように配置されている。背もたれ２の前向き部１５には、逃がし空所３６に入り込んで後ろ壁３７の前面に係合する第２ボス部（段部）３８が形成されている。
【００４８】
第１ボス部３５及び第２ボス部３８は請求項に記載した可動係合部を構成して、座アウターシェル８の後ろ壁３７と補強板１６の係合片１７とは、固定係合部を構成している。なお、第２ボス部３８の下端と第１ボス部３５の下端とを同一面状に揃えることも可能である。
【００４９】
背もたれ２の下端は、第２ボス部３８が後ろ壁３７の前面に係合する（当たる）ことによって後ろ向き移動不能に保持され、更に、第１ボス部３５が軸受け部１７に下方及び後方から係合する（当たる）ことにより、上向き動不能及び前進動不能に保持されている。背もたれ２の第１ボス部３５は、前向き部１５の前端から下方に段落ちした状態に形成されており、側面視で前後長手の長円形状になっている。従って、座アウターシェル８における後ろ壁３７と補強板１６の軸受け部１７との間には、ボス部３５，３８を挿入可能な逃がし空所３６が空いている。
【００５０】
また、背もたれ２を是軽させた姿勢で第１ボス部３５を逃がし空所３６に上から挿入すると、第１ボス部３５の先端（下端）がリブ３６ａの湾曲面３６ｂに当たるように設定している。
【００５１】
座アウターシェル８の後ろ壁３７は、座１の後端よりも手前に位置している。従って、座インナーシェル６のうち座アウターシェル８の後ろに位置した後部は、オーバーハング部６ａになっている。このオーバーハング部６ａは、ヒンジ部６ｂにより、着座者の体圧によって後傾可能になっている。
【００５２】
背もたれ２の取付けは、背もたれ２を、図８（Ｂ）に示すように、その前向き部１５が下向き姿勢になるように手前がわに大きく倒れた姿勢にしてから、ボス部３５，３８を逃がし空所３６に嵌め込み、次いで、背もたれ２を所定の姿勢に起こし、次いで、背もたれ２の上部を背支柱１８の上端部に連結する、という手順で行われる。従って、背もたれ２の下部の連結は、ビス等のファスナを使用することなくワンタッチ的に行うことができる。従って、椅子の組み立ての手間を軽減できる。
【００５３】
そして、本実施形態では、背もたれ２を前傾した非使用姿勢から使用姿勢に起こす（後傾させる）において、第１ボス部３５がリブ３６ａの湾曲面３６ｂに当たっていて、湾曲面３６ｂを支点にして背もたれ２の回動を行えるため、背もたれ２を所定の姿勢に保持することを自動的に行える。従って、背もたれ２の組み付けを、迅速かつ正確に行うことがより確実になる。
【００５４】
なお、実施形態では第１ボス部３５を湾曲面３６ｂに当てたが、第１ボス部３５を左右のリブ３６ａの間に入り込ませて、前向き部１５のうち第１ボス部３５の左右両側の部位を湾曲面３６ｂに当てるこも可能である。この場合は、背もたれ２の左右位置決め効果も保持できる。
【００５５】
補強板１６は、図１（Ａ）に示す肘掛け１９の取付けにも使用されている。図５（Ａ）及び図９（Ｂ）に示すように、座アウターシェル８の後部のうち補強板１６の左右端部の下方部位に、平坦で三角形状の固定座３９ａを形成する一方、補強板１６の左右両端部に、固定座３９ａに上から重なる重合部３９ｂを形成しており、固定座３９ａにはビスの軸部が上から挿通される貫通穴４０ａを形成して、重合部３９ｂには貫通穴４０ｂを形成している。ビスは、肘掛けのベース部にねじ込まれる。
【００５６】
図８（Ａ）や図９（Ｂ）に示すように、補強板１６のうち左右中間部寄りの部位にビス穴１６ａが空いており、補強板１６はこの部位でも座アウターシェル８に固定されている。
【００５７】
(5).背もたれと背支柱との連結構造
次に、背もたれ２と背支柱１８との連結構造を、図１０〜１２を参照して説明する。図１０〜１２の各図に示すように、背もたれ２の上センターエリア２１のうち下部の左右中間部に、左右の側壁４１とこれに連続した庇板４２とを有するブラケット部４３が形成されており、ブラケット部４３の内部に継手部材４４が左右長手のピン４５で連結されていて、継手部材４４が背支柱１８の上端部に連結されている。
【００５８】
ブラケット部４３を構成する左右側壁４１の上部に厚肉状の軸支部４１ａが形成されており、継手部材４４の上部がピン４５によって軸支部４１ａに連結されている。ブラケット部４３における庇板４２の下方には、ピン４５を斜め上方から支持する支持片４７が、左右方向に並んで多数形成されている。
【００５９】
継手部材４４は合成樹脂製であり、背支柱１８の側に位置した背板（基板）４８と、左右の側板４９と、上面板５０及び下面板５１とを有しており、全体としては、背もたれ２のブラケット部４３に向けて開口した箱状の形態を成しており、側板４９の上部を上向きに延出させて軸受け部４９ａを形成し、これにピン４５が挿通している。ピン４５の左右両端部は、継手部材４４の外側にはみ出た露出部４５ａになっている。また、上面板５０の先端には、上向きリブ５０ａを形成している。
【００６０】
背支柱１８は、基板とその左右両端に設けた前向きの側板１８ｂとによって樋状の形態を成しており、上端部に、側板１８ｂの前向き突出寸法を大きくした抱持部（ポケット部）５２が形成されて、この抱持部５２に、背もたれ２のブラケット部４３及び継手部材４４が入り込んでいる。抱持部５２の上面は天板で塞がれている。
【００６１】
そして、抱持部５２の内部には、ブラケット部４３を左右両側から囲う左右の内壁５３が形成されており、内壁５３の上部に、ピン４５の露出部４５ａが上から嵌まり込む軸受け溝穴５４を形成している。また、背支柱１８の抱持部５２に、左右中間部に位置した係合爪５５と、その左右両側に位置した位置決め突起５６を前向きに突設している。
【００６２】
一方、継手部材４４の背板４８には、係合爪５５が嵌入し係合する角形の係合ボス部５７と、位置決め突起５６が嵌まり込む角筒状の位置決めボス部５８とを形成している。係合爪５５の先端には下向きの鉤部が形成されており、係合爪５５が係合ボス部５７の先端に引っ掛かり係合することにより、背もたれ２が、継手部材４４を介して背支柱１８に外れ不能に連結される。また、左右の位置決め突起５６が位置決めボス部５８は上下左右にガタツキのない状態に保持されている。
【００６３】
背もたれ２の取付け手順としては、まず、予め継手部材４４を背もたれ２のブラケット部４３にピン４５で連結しておく。そして、既に述べたように、使用姿勢に対して大きく前倒しした姿勢で、ボス部３５，３８を係合片１７の手前の逃がし空所３６に挿入し、次いで、背もたれ２を使用姿勢に起こすことにより、係合片１７に対する第１ボス部３５の係合と後ろ壁３７に対する第２ボス部３８の係合とを行うと共に、ピン４５の露出部４５ａを背支柱１８の軸受け溝穴５４に上から嵌め込みつつ、係合爪５５に対する共係合ボス部５７の嵌め込みと、突起５６に対する位置決めボス部５８の嵌め込みとを行う。
【００６４】
係合爪５５に対する係合ボス部５７の嵌め込みと、突起５６に対する位置決めボス部５８の嵌め込みとは、継手部材４４を、ピン４５を支点にして後ろ向きに回動させることによって行う。
【００６５】
係合爪５５に対する係合ボス部５７の嵌め込みに伴い、係合爪５５が、弾性に抗していったん逃げ回動してから戻り回動することにより、鉤部が係合ボス部５７に引っ掛かった状態になって、継手部材４４及び背もたれ２は、背支柱１８に対して上下左右に離脱不能に保持される。これにより、ピン４５の露出部４５ａが軸受け溝穴５４に嵌まり込んだ状態に保持される。従って、背もたれ２の取付けをワンタッチ的に行うことができる。
背板２を取り外す場合は、係合爪５５を上向きに起こして係合ボス部５７との係合を解除してから、背板２を手前に引いたらよい。
【００６６】
例えば図１１（Ｃ）及び図１２に示すように、背支柱１８の上端部内に、ピン４５に対して上斜め後方から当たる受けリブ５９の群を左右に多数並設している。正確には、受けリブ５９の前面は前倒れ姿勢になっている。従って、着座者の体圧によって背もたれ２に後ろ向きの外力が掛かると、ピン４５は、受けリブ５９によって下向きに推される傾向を呈して、軸受け溝穴５４に深く入り込ませられるような作用を受ける。従って、着座者の体圧によって背もたれ２が背支柱１８から外れるような不具合は皆無である。
【００６７】
受けリブ５９はこのように優れた機能を有しているが、ピン４５が受けリブ５９に当たることが長期に亙って繰り返されると、受けリブ５９が磨滅して樹脂粉が発生することがあり、この樹脂粉が床に落下したり、背もたれ２の前向き部１５に落下したりして人目に触れると、美観を損なうおそれがある。
【００６８】
この点について本実施形態では、図１２に明示するように、継手部材４４の上面板５０を受けリブ５９及びピン４５の直下部に位置させて、上面板５０の先端に上向きリブ５０ａを形成することにより、上面板５０を樹脂粉の受け部材として機能させている。従って、樹脂粉の落下による美観の悪化を、構造を複雑化することなく防止できる。
【００６９】
背もたれ２の下端は、若干のクリアランスを持って座アウターシェル８に連結されており、また、背支柱１８との連結部では、ピン４５を支点にして少し前後傾動し得る。従って、背もたれ２は僅かながら前後方向に回動可能である。
【００７０】
(6).その他
以上、本願発明の実施形態を説明したが、本願発明は他にも様々に具体化できる。例えは、固定係合部としては、補強板の前端に下向きの係合片を形成する一方、背もたれの前向き部に、可動係合部として、係合片に下方から嵌まり込む係合穴を形成することも可能である。係合穴に代えて、下向きの係合片に手前から係合する上向き係止片を形成することも可能である。補強板に係合穴を形成して、背もたれの前向き部に上向きの係止片を形成することも可能である。固定係合部及び可動係合部とも、他の様々な係合態様を採用できる。
【００７１】
実施形態では背もたれを背板のみで構成したが、少なくとも前面に背クッションを張った構造にしたり、前後面をクロス等の袋状表皮材で覆ったりすることも可能である。フレームにメッシュ材を張った構造の背もたれにも適用できる。また、本願発明は、背もたれ及び背支柱がばね手段に抗して後傾するロッキング椅子にも適用できる。
【００７２】
また、実施形態のように背もたれを複数のエリアがヒンジ部で繋がった構成とする場合、特許文献１と同様に、背板を、上段のエリアと中段のエリアと下段のエリアとの３段式に構成して、格段をセンターエリーと左右のサイドエリアとに分けることも可能ある。この場合は、上段においてセンターエリアとサイドエリアとを繋ぐ左右の縦長ヒンジ部は、上に向けて互いの間隔が狭まる姿勢とするのが好ましい。背支柱は、座アウターシェルとは別部材に構成してもよい。
【００７３】
背もたれ（背板）の下端は、座の後端や背支柱の下端部（前後方向に延びる部分）に連結することも可能である。或いは、座アウターシェルでない他の座受け部材（例えば、ベースや、ベースと座アウターシェルとの間に配置された中間金具など）に連結することも可能である。脚装置はガスシリンダ方式である必要はないのであり、４本足方式等の非回転椅子にも適用できる。
【産業上の利用可能性】
【００７４】
本願発明は、椅子に適用できる。従って、産業上利用できる。
【符号の説明】
【００７５】
１  座
２  背もたれ
５  ベース
６  座インナーシェル
６ａ  座インナーシェルのオーバーハング部
８  下部部材の一例として座アウターシェル
１６  補強板
１７  固定係合部を構成する軸受け部（係合片）
１８  背支柱
３５  可動係合部を構成する第１ボス部
３６  逃がし凹所
３７  固定係合部を兼用する後ろ壁
３８  可動係合部を構成する第２ボス部
【図１】
2020039465.tif 000003
【図２】
2020039465.tif 000004
【図３】
2020039465.tif 000005
【図４】
2020039465.tif 000006
【図５】
2020039465.tif 000007
【図６】
2020039465.tif 000008
【図７】
2020039465.tif 000009
【図８】
2020039465.tif 000010
【図９】
2020039465.tif 000011
【図１０】
2020039465.tif 000012
【図１１】
2020039465.tif 000013
【図１２】
2020039465.tif 000014